【手続補正書】
【提出日】平成20年9月3日(2008.9.3)
【手続補正１】
【補正対象書類名】明細書
【補正対象項目名】特許請求の範囲
【補正方法】変更
【補正の内容】
【特許請求の範囲】
【請求項１】  可変レート音声符号器におけるフレーム消去を補償するための方法であって、
消去されたフレームが宣言された後に処理された現在のフレームに対するピッチ遅延値と第１のデルタ値とを逆量子化することであって、前記第１のデルタ値は前記現在のフレームに対するピッチ遅延値と前記現在のフレームの直前のフレームに対するピッチ遅延値間の相違に等しく、前記現在のフレームは第１の符号化モードに従って符号化されることと、
前記現在のフレームに先立つとともに前記フレーム消去の後に、少なくとも１つのフレームに対する少なくとも１つのデルタ値を逆量子化することであって、前記少なくとも１つのデルタ値は、少なくとも１つのフレームに対するピッチ遅延値と前記少なくとも１つのフレームの直前のフレームに対するピッチ遅延値間の相違に等しく、前記少なくとも１つのフレームは第１の符号化モードとは異なる第２の符号化モードに従って符号化されることと、
前記消去されたフレームに対するピッチ遅延値を生成するために、現在のフレームに対するピッチ遅延値から各デルタ値を減算すること、とを具備する方法。
【請求項２】  再構成されたフレームを生成するために消去されたフレームを再構成することをさらに具備する請求項１に記載の方法。
【請求項３】  前記現在のフレーム及び前記再構成されたフレーム間に存在する不連続を平滑化するために波形補間を実行することをさらに具備する請求項２に記載の方法。
【請求項４】  現在のフレームに対する前記ピッチ遅延値と第１のデルタ値の逆量子化は、相対的に非予測的な符号化モードに従って実行されることを特徴とする請求項１記載の方法。
【請求項５】  前記少なくとも１つのデルタ値の逆量子化は、相対的に予測的な符号化モードに従って実行される請求項１記載の方法。
【請求項６】  フレーム消去を補償するように構成された可変レート音声符号器であって、
消去されたフレームが宣言された後に処理された現在のフレームに対する第１のデルタ値とピッチ遅延値とを復号化するための手段であって、前記第１のデルタ値は、前記現在のフレームに対するピッチ遅延値と前記現在のフレームの直前のフレームに対するピッチ遅延値間の相違に等しく、前記現在のフレームは第１の符号化モードにしたがって符号化される手段と、
現在のフレームに先立つとともに前記フレーム消去の後に少なくとも１つのフレームに対する少なくとも１つのデルタ値を復号化するための手段であって、前記少なくとも１つのデルタ値は少なくとも１つのフレームと少なくとも１つのフレームの直前のフレームに対するピッチ遅延値間の相違に等しく、前記少なくとも１つのフレームは第１の符号化モードと異なる第２の符号化モードに従って符号化される手段と、
前記消去されたフレームに対するピッチ遅延値を生成するために、前記現在のフレームに対するピッチ遅延値から各デルタ値を減算するための手段と、
を具備する音声符号器。
【請求項７】  再構成されたフレームを生成するために前記消去されたフレームを再構成するための手段をさらに具備する請求項６記載の音声符号器。
【請求項８】  前記現在のフレームと前記再構成されたフレーム間に存在する不連続を平滑化するために波形補間を実行するための手段をさらに具備する請求項７記載の音声符号器。
【請求項９】  ピッチ遅延値と第１のデルタ値を復号化するための前記手段は、相対的に非予測的な符号化モードに従って逆量子化するための手段を具備する請求項６記載の音声符号器。
【請求項１０】  少なくとも１つのデルタ値を復号化するための前記の手段は、相対的に予測的な符号化モードに従って逆量子化するための手段を具備する請求項６記載の音声符号器。
【請求項１１】  フレーム消去を補償するように構成された加入者ユニットであって、
消去されたフレームが宣言された後に処理された現在のフレームに対する第１のデルタ値とピッチ遅延値とを復号化するように構成された第１の音声符号器であって、前記第１のデルタ値は、前記現在のフレームに対するピッチ遅延値と、前記現在のフレームの直前のフレームに対するピッチ遅延値間の相違に等しく、現在のフレームは第１の符号化モードに従って符号化される第１の音声符号器と、
現在のフレームに先立つとともに前記フレーム消去の後に、少なくとも１つのフレームに対する少なくとも１つのデルタ値を復号化するように構成された第２の音声符号器であって、前記少なくとも１つのデルタ値は、前記少なくとも１つのフレームに対するピッチ遅延値と少なくとも１つのフレームの直前のフレームに対するピッチ遅延値間の相違に等しく、少なくとも１つのフレームは第１の符号化モードと異なる第２の符号化モードに従って符号化される第２の音声符号器と、
前記第１及び第２の音声符号器に結合され、前記消去されたフレームに対するピッチ遅延値を生成するために、前記現在のフレームに対するピッチ遅延値から各デルタ値を減算するように構成された制御プロセッサと、
を具備する加入者ユニット。
【請求項１２】  前記制御プロセッサはさらに、再構成されたフレームを生成するために、前記消去されたフレームを再構成するように構成される請求項１１記載の加入者ユニット。
【請求項１３】  前記制御プロセッサはさらに、現在のフレームと前記再構成されたフレーム間に存在する不連続を平滑化するために波形補間を実行するように構成されている請求項１２に記載の加入者ユニット。
【請求項１４】  前記第１の音声符号器は、相対的に非予測的な符号化モードに従って復号化するように構成されている請求項１１記載の加入者ユニット。
【請求項１５】  前記第２の音声符号器は、相対的に予測的な符号化モードに従って復号化するように構成されている請求項１１記載の加入者ユニット。
【請求項１６】  制御プロセッサに結合し、適応するための変換の手段であり、
受信された各フレームの符号化モードを決定し、
第１と第２の音声符号器の１つに対応することをさらに具備する請求項１１に記載の加入者ユニット。
【請求項１７】  制御プロセッサに結合するフレーム消去を検出する手段をさらに具備する請求項１６に記載の加入者ユニット。
【請求項１８】  フレーム消去を補償するように構成されたインフラストラクチャ要素であって、
プロセッサと、
このプロセッサに結合された記憶媒体であって、消去されたフレームが宣言された後に処理された現在のフレームに対するピッチ遅延値と、第１のデルタ値を逆量子化し、前記第１のデルタ値は、現在のフレームに対するピッチ遅延値と、前記現在のフレームの直前のフレームに対するピッチ遅延値間の相違に等しく、前記現在のフレームに先立ちかつ前記フレーム消去の後における少なくとも１つのフレームに対する第１のデルタ値を逆量子化し、前記第１のデルタ値は、少なくとも１つのフレームに対するピッチ遅延値と、前記少なくとも１つのフレームの直前のフレームに対するピッチ遅延値間の相違に等しく、前記現在のフレームに先立ってかつ前記フレーム消去の後に少なくとも１つのフレームに対する少なくとも１つのデルタ値を逆量子化し、前記少なくとも１つのデルタ値は、少なくとも１つのフレームに対する少なくとも１つのピッチ遅延値と、前記少なくとも１つのフレームの直前のフレームに対するピッチ遅延値との差に等しく、前記現在のフレームに対する前記ピッチ遅延値から各デルタ値を減算して、前記消去されたフレームに対するピッチ遅延値を生成するように、前記プロセッサによって実行可能な一組の命令を含む記憶媒体と、を具備し、
前記現在フレームが第１符号化モードに従って符号化され、前記少なくとも１つのフレームが第１の符号化モードと異なる第２の符号化モードに従って符号化されるインフラストラクチャ要素。
【請求項１９】 前記一組の命令はさらに、再構成されたフレームを生成するために前記消去されたフレームを再構成するために前記プロセッサによって実行可能である請求項１８記載のインフラストラクチャ要素。
【請求項２０】 前記一組の命令はさらに、前記現在のフレームと前記再構成されたフレーム間に存在する不連続を平滑化するために、波形補間を実行するために前記プロセッサによって実行可能である請求項１９記載のインフラストラクチャ要素。
【請求項２１】  前記一組の命令はさらに、相対的に非予測的な符号化モードに従って前記現在のフレームに対する前記ピッチ遅延値と前記第１デルタ値を逆量子化するために、前記プロセッサによって実行可能である請求項１８記載のインフラストラクチャ要素。
【請求項２２】  前記一組の命令はさらに、相対的に予測的な符号化モードに従って前記現在のフレームに先立ちかつ前記フレーム消去の後の少なくとも１つのフレームに対するデルタ値を逆量子化するために、前記プロセッサによって実行可能である請求項１８記載のインフラストラクチャ要素。
【請求項２３】  可変レート音声符号器におけるフレーム消去を補償するための方法であり、音声符号器に受信されたフレームはデルタ値を含み、各デルタ値は、直前のフレームからのピッチ遅延値における変化に対応するものであり、
消去されたフレームを宣言することと、
第１のフレームに対する第１のデルタ値を復号化することであって、前記第１のフレームは消去フレームが宣言された後に受信され、前記第１のフレームは第１の符号化モードを使用して符号化されることと、
前記第１のフレームを受信した後に現在のフレーム処理のために現在のピッチ遅延値と現在のデルタ値を復号化することであって、前記現在のフレームは第１の符号化モードと異なる第２の符号化モードを使用して符号化されることと、
前記第１のデルタ値と現在のピッチ遅延値に基づいて第１のフレームに対する第１のピッチ値を生成することと、
前記消去されたフレームに対するピッチ遅延値を生成するために、前記現在のフレームに対する現在のピッチ遅延値から第１の現在のデルタ値を減算することと、を具備する方法。
【請求項２４】  第２の符号化モードが相対的に非予測的な音声の符号化に使用される請求項２３に記載の方法。
【請求項２５】  第１の符号化モードが相対的に予測的な音声の符号化に使用される請求項２４に記載の方法。
【請求項２６】  第１の符号化モードが第１の符号化ビットレートを供給し、第２の符号化モードが第２の符号化ビットレートを供給し、第１ビットレートは第２ビットレート未満である請求項２５に記載の方法。
【請求項２７】  音声符号器におけるフレーム消去を補償するための装置であり、前記音声符号器に受信されたフレームはデルタ値を含み、各デルタ値は、直前のフレームからのピッチ値における変化に対応するものであり、
消去フレームを宣言する手段と、
第１のフレームに対する第１のデルタ値を復号化するための手段であって、前記第１のフレームは消去フレームが宣言された後に受信され、前記第１のフレームは第１の符号化モードを使用して符号化される手段と、
前記第１のフレームを受信した後に現在のフレーム処理のために現在のピッチ遅延値と現在のデルタ値を復号化する手段であって、前記現在のフレームは第１の符号化モードと異なる第２の符号化モードを使用して符号化される手段と、
前記第１のデルタ値と現在のピッチ遅延値とに基づいて前記第１のフレームに対する前記第１のピッチ値を生成する手段と、
前記消去フレームに対するピッチ遅延値を生成するために、前記現在のフレームに対する現在のピッチ遅延値から前記第１及び現在のデルタ値を減算する手段と、
を具備する装置。